(57)【特許請求の範囲】
【請求項１】
皿に溜められた遊技球を遊技領域へと案内する案内経路と、
前記案内経路における当該案内経路が曲折する曲折部の内側に設けられ、前記皿から侵入した不正遊技球に取り付けられた糸状部材の移動を妨げる抑制部材とを備え、
前記抑制部材は、前記案内経路を移動する遊技球が接触しない非接触位置に設けられており、
前記抑制部材と近接する位置に、遊技球が当該抑制部材に接触するのを防止し、且つ前記糸状部材が当該抑制部材に接触するのを許可する接触制御部が設けられている、パチンコ遊技機。
【発明の詳細な説明】
【技術分野】
【０００１】
本発明は、皿に溜められた遊技球を発射装置により遊技領域に打ち出すパチンコ遊技機に関する。
【背景技術】
【０００２】
パチンコ遊技機には、遊技球を補給するために上面が開口された皿が設けられている。この皿に溜められた遊技球は１個ずつ発射装置に供給され、発射装置が備える打球槌に叩かれることにより、例えば０．６秒間隔で始動口や入賞口が設けられた遊技領域へと発射される（例えば特許文献１参照）。
【先行技術文献】
【特許文献】
【０００３】
【特許文献１】特開２００９−１８９７１９号公報
【発明の概要】
【発明が解決しようとする課題】
【０００４】
ところで、近年、釣り糸を取り付けた不正遊技球を皿から遊技領域に送り込み、遊技球の入賞を検出するセンサに対して不正遊技球が往復運動するように釣り糸を操作することで、不正に賞球を得たり、或いは不正に抽選を始動させるといった釣り糸ゴトの発生が問題となっている。これに対して、特許文献１に開示されているような従来のパチンコ遊技機は、遊技者が補給した遊技球を皿から遊技領域へと送り込む経路が確保されているため、不正遊技球が遊技領域に侵入するのを未然に防止するのは困難であった。
【０００５】
それ故に、本発明の目的は、不正遊技球による不正を防止することが可能なパチンコ遊技機を提供することである。
【課題を解決するための手段】
【０００６】
本発明は、上記の課題を解決するために以下の構成を採用した。なお、本欄における括弧内の参照符号や補足説明等は、本発明の理解を助けるために、後述する実施形態との対応関係を示したものであって、本発明を何ら限定するものではない。
【０００７】
本発明に係るパチンコ遊技機（１）は、皿（４４）に溜められた遊技球を遊技領域（１２）へと案内する案内経路（６）と、前記案内経路（６）における当該案内経路（６）が曲折する曲折部の内側に設けられ、前記皿（４４）から侵入した不正遊技球（９０）に取り付けられた糸状部材（９１）の移動を妨げる抑制部材（８５，８６）とを備える。なお、本発明における糸状部材は、可撓性を有する糸状の部材であって、釣り糸や紐等を含むものである。
【０００８】
前記抑制部材（８５）は、前記案内経路（６）を移動する遊技球が接触しない非接触位置に設けられていることが好ましい。
【０００９】
前記抑制部材（８５）と近接する位置に、遊技球が当該抑制部材（８５）に接触するのを防止し、且つ前記糸状部材（９１）が当該抑制部材（８５）に接触するのを許可する櫛歯形状の隔壁（８３）が設けられていてもよい。
【００１０】
前記抑制部材（８５，８６）が、遊技球を前記遊技領域（１２）に向けて発射する発射装置（３０）に対して前記案内経路（６）における上流側に設けられていることが好ましい。
【００１１】
前記抑制部材は、弾性力により前記糸状部材（９１）を係止可能な引張コイルバネ（８５）であってもよい。
【００１２】
前記抑制部材は、前記曲折部において遊技球が移動する方向と交差する方向（８８）に延びる複数の突起（８６）であってもよい。
【発明の効果】
【００１３】
この発明によれば、不正遊技球による不正を防止することが可能である。
【図面の簡単な説明】
【００１４】
【図１】パチンコ遊技機１の概略正面図
【図２】本体枠２に対して前面枠３を開けた状態を示すパチンコ遊技機１の部分斜視図
【図３】隔壁８３の下方に引張コイルバネ８５が設けられたガイドレール部材７７周辺の拡大斜視図
【図４】パチンコ遊技機１の本体枠２側の正面図
【図５】遊技球が流下口８２から落下する様子を示すガイドレール部材７７周辺の部分拡大斜視図
【図６】複数の突起８６が設けられたガイドレール部材７７周辺の拡大斜視図
【発明を実施するための形態】
【００１５】
以下、適宜図面を参照しつつ、本発明の一実施形態に係るパチンコ遊技機１について説明する。
【００１６】
［パチンコ遊技機１の概略構成］
パチンコ遊技機１は、図１及び図２に示されるように、本体枠２と、本体枠２にヒンジ結合されて開閉可能な前面枠３とを備えている。本体枠２は、外枠（機枠）２ａと、外枠２ａにヒンジ結合されて開閉可能な中枠（内枠）２ｂとを有している。この中枠２ｂには、遊技盤５が設けられている。
【００１７】
前面枠３は、遊技盤５の前方側に遊技盤５と所定の間隔を隔てて平行に配置される透明なガラス板４１と、ガラス板４１の下方に位置する皿ユニット４３とを備えている。この皿ユニット４３は、皿４４、ハンドル４８、取り出しボタン４９、通路球抜きボタン５０、演出ボタン５１等を有して構成されている。皿４４には、発射装置３０へ供給される遊技球や賞球として払い出された遊技球が溜められる。遊技盤５とガラス板４１との間には、遊技球が移動する遊技領域１２が形成されている。ハンドル４８は、皿４４に溜められた遊技球をこの遊技領域１２に供給するために遊技者によって操作される。なお、皿４４と近接は位置された取り出しボタン４９を操作すると、皿４４の下面の一部が開口されて、皿４４に溜まった遊技球が皿４４の下方に配置された不図示の箱に落下する。
【００１８】
遊技盤５の外縁側には、外側レール９と内側レール１０とを有して構成されたレール部８が設けられている。このレール部８の内側に位置する遊技領域１２には、画像表示装置１５を有するセンター役物１４、その周囲に配置された不図示の遊技クギ、風車１７、普通入賞口１８、ゲート１９、第１始動口２０、第２始動口２１、大入賞口２２、排出口２３等の公知の部材が配置されている。
【００１９】
パチンコ遊技機１では、遊技者がハンドル４８を操作すると、皿ユニット４３の内側に設けられた球送り装置６０の球送り部材７０（図３参照）と、遊技盤５の下方に配置された発射装置３０の発射杆３２（図４参照）とが連動するように動作する。これにより、皿４４内の遊技球が送り部材７０によって１球ずつ発射装置３０の発射レール３５上に送られた後、その遊技球が発射杆３２によって叩かれる。その結果、発射装置３０からレール部８を介して遊技領域１２に遊技球が打ち出されることになる。
【００２０】
遊技領域１２に打ち出された遊技球は、普通入賞口１８、ゲート１９、第１始動口２０、第２始動口２１、大入賞口２２、排出口２３のいずれかに入球する。その際、遊技球が普通入賞口１８、第１始動口２０、第２始動口２１、大入賞口２２に入賞した場合、入賞した場所に応じた所定数の遊技球が皿４４に払い出される。また、遊技球がゲート１９を通過した場合、第２始動口２１の開閉抽選（普通図柄抽選）が実行され、この抽選に当選すると、第２始動口２１を閉塞する電動チューリップの一対の羽根部材が規定時間だけ開姿勢を維持した後に閉姿勢に戻る動作が規定回数行われる。その結果、第２始動口２１への遊技球の入賞が可能になる。また、遊技球が第１始動口２０又は第２始動口２１に入賞すると、抽選により、大当たりや小当たり、ハズレが決定され、当たりとなれば、大入賞口２２が開放されることになる。なお、これらの動作や遊技フローは公知のものであり、遊技盤５の背面側（後面側）に設けられた不図示のメイン制御基板が、遊技球の入賞を検出するセンサ２５からの検出信号に基づいて抽選を実行し、不図示のサブ制御基板が、所定数の遊技球を払い出したり、所定のランプ２７やスピーカ２８等を動作させつつ、所定の演出画像を画像表示装置１５に表示することになる。
【００２１】
ところで、不正遊技者は、可撓性を有する直径が０．１〜０．３ｍｍ程度の細い釣り糸９１（糸状部材の一例：図５参照）の一端部を持ったまま他端部に取り付けられた不正遊技球９０（図５参照）を皿４４から遊技領域１２へ通常の遊技球と同じように打ち出す。そして、不正遊技者は、釣り糸９１の一端部を引っ張ったり繰り出したりして不正遊技球９０を操作し、普通入賞口１８、第１始動口２０、第２始動口２１、大入賞口２２の各センサ２５に対して不正遊技球９０を往復運動させて不正に賞球を得たり、或いは不正に抽選を始動させるといった、所謂釣り糸ゴトを働く。
【００２２】
本実施形態に係るパチンコ遊技機１は、この釣り糸ゴトを未然に防止するための構成を有している。以下、この構成について詳細に説明する。
【００２３】
［案内経路６の構成］
図２及び図４に示されるように、皿４４に溜められた遊技球を遊技領域１２へと案内する案内経路６（図４参照）には、皿４４の下流側に球送り装置６０が設けられ、球送り装置６０の下流側に発射装置３０が設けられ、発射装置３０の下流側にガイドレール３６，３７が設けられ、ガイドレール３６，３７の下流側にレール部８が設けられている。
【００２４】
［球送り装置６０の構成］
図３は、球送り装置６０の部分拡大図である。球送り装置６０は、図１に示されている皿４４の遊技球の転動路４５における終端の排出口４６に連なるように配置されている。
【００２５】
図２及び図３に示されるように、球送り装置６０は、ケース６１、ガイドレール部材７７、送り部材７０等を有して構成されている。ケース６１は、相互に締結される前カバーと後カバーとから構成されており、これらのカバーの内部に遊技球を送り出すための機構（ソレノイドやソレノイドの駆動力を送り部材７０に伝達する駆動伝達機構等）が収納されている。
【００２６】
ガイドレール部材７７は、図には示されていないが、皿４４の排出口４６（図１参照）に連続するように設けられている。皿４４から流入した遊技球は、ガイドレール部材７７の転動路７９（図３参照）上を転動する。この転動路７９は、底壁８０と、転動路７９が曲折する部分の外側に位置する側壁８１とから形成されている。転動路７９上を転動した遊技球は、転動路７９の終端に位置する流下口８２から落下する。この流下口８２は、発射装置３０の発射レール３５（図２参照）の上面に遊技球を落下可能な位置に配置されており、遊技球は、流下口８２から落下することで発射装置３０に供給される。
【００２７】
送り部材７０は、不図示の回転軸に回転可能に軸支された軸支部７１と、軸支部７１から転動路７９上に突出するように形成された規制片７３とを有して構成されている。ケース６１の内部にはソレノイドが設けられており、このソレノイドの通電と通電停止とにより、ソレノイドの駆動力が送り部材７０の軸支部７１に伝達されて、送り部材７０が回転軸を中心に回転する。
【００２８】
ソレノイドが非通電状態のときには、規制片７３と対向する不図示の規制片（以下「対向規制片」と呼ぶ。）が皿４４の排出口４６を塞ぐ位置に配置される。このため、皿４４から球送り装置６０への遊技球の流入が阻止されている。これに対して、ソレノイドが通電されると、ソレノイドの駆動力によって規制片７３が皿４４の排出口４６に近付くように軸支部７１が平面視で反時計回り方向に回転する。この状態では、規制片７３と対向規制片との間の空間が排出口４６と連通される。このため、排出口４６に配置されていた遊技球が規制片７３と対向規制片との間の空間に進入する。なお、この状態では、規制片７３の下面と転動路７９の底壁８０との距離が遊技球の直径よりも小さいため、遊技球が規制片７３と対向規制片との間に位置した状態が維持される。
【００２９】
そして、ソレノイドへの通電が停止されると、ソレノイドの通電によりコイルバネが蓄えていた弾性力が送り部材７０に作用して、対向規制片が皿４４の排出口４６を塞ぐ位置に復帰するように軸支部７１が平面視で時計回り方向に回転する。この状態では、底壁８０が流下口８２に近付くにつれて低くなるように傾斜しているために、規制片７３の下面と底壁８０との距離が遊技球の直径よりも大きくなっている。このため、規制片７３と対向規制片との間に位置していた遊技球が規制片７３の下を潜り抜けるように転動路７９上を転動する。よって、ソレノイドの通電・通電停止の繰り返しにより、送り部材７０が１回分左右に揺動して、皿４４の排出口４６に待機していた遊技球が、１個ずつ転動路７９を介して発射装置３０に送られることになる。
【００３０】
［発射装置３０の構成］
図４は、パチンコ遊技機１の本体枠２側の正面図である。図２及び図４に示されるように、発射装置３０は、前方側がカバー３３（図２参照）によって覆われた発射杆３２と、発射通路３４とを備えている。発射杆３２は、図４に示されるように、揺動中心から放射状に延びる打球部３２ｂと、アーム部３２ｃとを備えている。発射装置３０に設けられた不図示のロータリーソレノイドが通電されると、発射杆３２が正面視で時計回り方向に回転し、発射通路３４の発射レール３５上にある遊技球が打球部３２ｂによって叩かれ、その打撃力によって遊技球が発射される。そして、ロータリーソレノイドの通電停止により、発射杆３２が不図示の磁石の吸着力と自重とにより反時計回り方向に回転して、原点位置ＦＢ（図４参照）に復帰する。なお、アーム部３２ｃは、発射杆３２の打撃位置（打球部３２ｂが遊技球を叩く位置）と復帰位置（原点位置ＦＢ）とへの配置を正確に行えるように、不図示のストッパに当接して、発射杆３２を一定位置に配置できるように構成されている。また、アーム部３２ｃは、発射杆３２が原点位置ＦＢに向けて復帰する際に、所定位置に配置された磁石に吸着される吸着部として機能する。
【００３１】
発射通路３４は、その上下が、板金の上面側をＶ字形状に凹ませた発射レール３５と、上下に対向配置された下ガイドレール３６及び上ガイドレール３７とによって区画されている。また発射通路３４は、その後面側が発射装置３０のベース板３１等によって区画され、前面側が前面枠３の球送り装置６０等の部材によって区画されている。
【００３２】
このため、発射レール３５上で打球部３２ｂによって叩かれた遊技球は、図４に示されるように、発射通路３４を上昇して、中枠２ｂに設けられた転動路２ｃ等を経てレール部８側に発射され、レール部８を経て、遊技領域１２に打ち出される。このように皿４４から遊技領域１２までの遊技球が移動する経路が案内経路６として構成されている。
【００３３】
［隔壁８３の構成］
以下、図３を参照しつつ、ガイドレール部材７７の流下口８２に設けられた隔壁８３及び引張コイルバネ８５（抑制部材の一例）について説明する。図３に示されるように、ガイドレール部材７７の転動路７９の終端部に、隔壁８３が形成されている。この隔壁８３は、底壁８０の終端部に、転動路７９の幅方向に並んだ複数の切り込みを形成することによって複数の凸片８４が転動路７９の幅方向に所定の間隔で並んだ櫛歯形状に構成されている。この切り込みの幅は、釣り糸ゴトに使用される釣り糸９１の直径よりも若干大きく、且つ遊技球の直径よりも小さくなるように設定されている。このため、遊技球が転動路７９の終端部を通過する際に、その遊技球が引張コイルバネ８５に接触することで引張コイルバネ８５が劣化するのが防止され、且つ、不正遊技球９０に繋がった釣り糸９１が隣り合う２つの凸片８４間をすり抜けて引張コイルバネ８５に接触することが許可される。
【００３４】
上述したように、ガイドレール部材７７の転動路７９を転動した遊技球は、発射レール３５の上面に落下する。このため、転動路７９の終端に位置する流下口８２において、遊技球が移動する案内経路６が下方に曲折する（図３における矢印９３を参照）。このように、案内経路６が曲折する曲折部の内側に相当する位置、具体的には底板８０の先端部における隔壁８３の直下に、引張コイルバネ８５が設けられている。
【００３５】
［引張コイルバネ８５の構成］
隔壁８３の下方には、引張コイルバネ８５を収容するための収容部が形成されている。図には示されていないが、この収容部の両側壁には、引張コイルバネ８５の両端のフックが引っ掛けられる引っ掛け部が形成されている。引張コイルバネ８５の両端のフックがこれらの引っ掛け部に引っ掛けられることで、引張コイルバネ８５が引っ張り荷重を受けて所定の長さだけ伸張する。その結果、引張コイルバネ８５の伸縮方向に隣接する巻線間に、ゼロ以上で且つ釣り糸９１の直径よりも小さい幅の間隔が生じ、引張コイルバネ８５の巻線間に釣り糸が進入可能となる。このため、収容部の引っ掛け部の離間距離、引張コイルバネ８５の自然長、巻数、バネ定数等は、これらのことを考慮して適切な値に設定される。
【００３６】
上述したように、引張コイルバネ８５の上方には隔壁８３が設けられており、隔壁８３を構成する各凸片８４は、引張コイルバネ８５よりも発射装置３０のベース板３１側（すなわちパチンコ遊技機１の奥側）に突出している。このため、球送り装置６０から発射装置３０へと供給される遊技球が引張コイルバネ８５に接触しないようになっている。これは、皿４４から遊技球が供給される毎に遊技球が引張コイルバネ８５に接触して、その結果、引張コイルバネ８５が劣化したり破損したりして本来の機能を奏さなくなるのを防止するためである。このように、遊技球の接触による劣化を防止するために、引張コイルバネ８５は、遊技球が移動しない非接触位置（本実施形態では隔壁８３の直下）に設けられている。
【００３７】
［釣り糸９１の係止］
図５は、遊技球が流下口８２から落下する様子を示すガイドレール部材７７周辺の部分拡大斜視図である。釣り糸９１が取り付けられた不正遊技球９０が皿４４から球送り装置６０に供給されると、不正遊技球９０は、正規の遊技球と同様に、ガイドレール部材７７の底壁８０及び側壁８１に沿って転動する（図５（Ａ）参照）。この不正遊技球９０は、流下口８２まで移動すると、その自重によって発射レール３５の上面へ向けて落下する（図５（Ｂ）参照）。すなわち、底壁８０上を緩やかに下るように発射装置３０のベース板３１へ向けて移動していた不正遊技球９０が、その進行方向を下方に変化させて発射レール３５の上面へと落下する。このように、不正遊技球９０の案内経路６が曲折する曲折部の内側に隔壁８３及び引張コイルバネ８５が設けられているので、落下する不正遊技球９０に引っ張られた釣り糸９１が、曲折部の内側に巻き掛かるように移動する。すなわち、隔壁８３及び引張コイルバネ８５に近付いていくように移動する。その際、釣り糸９１は、隔壁８３の凸片８４間を通り抜けて引張コイルバネ８５の外周面に当接し、引張コイルバネ８５が若干伸張しているために引張コイルバネ８５の巻線間に進入し、引張コイルバネ８５が蓄えている弾性力（自然長に戻ろうとする力）によって係止される（図５（Ｃ）参照）。
【００３８】
釣り糸９１には、皿４４から侵入した不正遊技球９０が発射装置３０の発射杆３２によって叩かれる際に瞬間的にテンション（釣り糸９１を引っ張ろうとする力）がかかるが、釣り糸９１が引張コイルバネ８５によって係止されているので、釣り糸９１の移動が妨げられる。その結果、不正遊技球９０が釣り糸９１に引っ張られることとなり、不正遊技球９０が遊技領域１２に侵入することが未然に防止される。
【００３９】
［本実施形態の作用効果］
以上説明したように、本実施形態によれば、案内経路６が曲折する曲折部に相当する箇所の内側に引張コイルバネ８５が設けられているので、釣り糸９１が係止された状態で不正遊技球９０が発射されることになる。このため、引張コイルバネ８５及び引張コイルバネ８５によって係止された釣り糸９１によってその移動が妨げられる。その結果、不正遊技球９０が遊技領域１２に侵入するのを未然に防止することができる。
【００４０】
ところで、仮に引張コイルバネ８５が遊技球と接触可能な位置に設けられている場合、遊技球が皿４４から供給される毎に引張コイルバネ８５と接触し、その結果、引張コイルバネ８５が劣化して（或いは破損して）本来の機能を奏さなくなるおそれがある。特に、パチンコ遊技機が交換されても前面枠３等の枠部材は引き続き使用される（球送り装置６０が交換されない）ため、この問題は非常に重要である。本実施形態では、引張コイルバネ８５が、遊技球が接触しない非接触位置に設けられているので、このような問題が生じるのを防止することができる。つまり、釣り糸９１が取り付けられた不正遊技球９０が遊技領域１２に侵入するのを未然に防止するという機能を長期にわたり持続させることができる。
【００４１】
また、本実施形態では、引張コイルバネ８５を非接触位置に設けるために櫛歯形状の隔壁９３が用いられるので、遊技球が引張コイルバネ８５に接触するのを容易に防止することができる。
【００４２】
また、本実施形態では、引張コイルバネ８５が発射装置３０に対して、遊技球が移動する案内経路６の上流側に設けられているので、引張コイルバネ８５が発射装置３０に対して案内経路６の下流側に設けられている場合に比べて、より早い段階で釣り糸９１の移動が妨げられる。このため、不正遊技球９０が遊技領域１２に侵入するのを防止する効果を高めることができる。
【００４３】
また、本実施形態では、本発明の抑制部材として既存の引張コイルバネ８５が使用されるので、抑制部材として特別な部材を用意する場合に比べて、不正遊技球９０が遊技領域１２に侵入するのを容易且つ安価に防止することができる。
【００４４】
［抑制部材の変形例］
以下、図６を参照しつつ、本発明の抑制部材の変形例について説明する。なお、この変形例においては、抑制部材以外の構成は上記実施形態と同様であるためその説明を省略する。図６は、複数の突起８６が設けられたガイドレール部材７７周辺の拡大斜視図である。この図６においては、不正遊技球９０の図示が省略されている。図６に例示されるように、本発明の抑制部材として、ガイドレール部材７７の流下口８２（曲折部）において遊技球が移動する方向（図６における下方向）と交差する方向（図６における矢印８８で示される方向）に延びる複数の突起８６を設けてもよい。これらの突起８６は、上下方向および左右方向に一列に並ぶことがないように配列されている。
【００４５】
この構成によれば、不正遊技球９０に取り付けられた釣り糸９１が複数の突起８６に絡まるように引っ掛かり、この状態で不正遊技球９０が発射装置３０により打ち出されることで、不正遊技球９０の移動が妨げられる。このため、引張コイルバネ８５を設ける場合と同様に、不正遊技球９０が遊技領域１２に侵入するのを簡単な構成で防止することができる。
【００４６】
［他の変形例］
なお、本発明は上記実施形態に限定されるものではなく、例えば以下の形態であってもよい。すなわち、上記実施形態では、抑制部材としての引張コイルバネ８５が遊技球と接触しない非接触位置に設けられている場合について説明したが、抑制部材が遊技球との接触によって劣化しない或いは劣化しにくいものであるような場合には、抑制部材を遊技球と接触する接触位置に設けてもよい。
【００４７】
また、上記実施形態や抑制部材の変形例では、抑制部材としての引張コイルバネ８５や複数の突起８６が発射装置３０の上流側に設けられている場合について説明したが、抑制部材は発射装置３０の下流側に設けられていてもよい。
【００４８】
また、上記実施形態では、抑制部材が設けられる曲折部がガイドレール部材７７の流下口８２付近である場合を例に説明したが、曲折部は、例えば皿４４の遊技球の転動路４５において遊技球の移動方向が変化する箇所等の他の場所であってもよい。
【００４９】
また、上記実施形態において説明したパチンコ遊技機１の構成は単なる一例に過ぎず、他の構成であっても本発明を実現できることは言うまでもない。
【符号の説明】
【００５０】
１    パチンコ遊技機
１２    遊技領域
３０    発射装置
８４    隔壁
８５    引張コイルバネ（抑制部材の一例）
８６    突起
９０    不正遊技球
９１    釣り糸（糸状部材の一例）
【図１】
0005864155.tif 000002
【図２】
0005864155.tif 000003
【図３】
0005864155.tif 000004
【図４】
0005864155.tif 000005
【図５】
0005864155.tif 000006
【図６】
0005864155.tif 000007